(57)【要約】【課題】狭隘敷地や中小建物であってもフロア一括揚重の効果を期待できるフロアの施工方法を提供する。【解決手段】建設中の建物内の一部に後で施工する後施工部を設け、一階レベルで製作しておいたフロアユニットをこの後施工部内に上下方向に複数配置して（ステップＳ１）、これらを一括揚重し（ステップＳ２）、所定位置に設置するようにする（ステップＳ３）。この場合、フロアユニットの上部に、このフロアユニットが設置される当該階で使用するための資材を設置し、この資材をフロアユニットと共に揚重してもよい。【選択図】図１
2012046921.tif 000002
【特許請求の範囲】
【請求項１】
耐火被覆と設備機器取り付けの少なくとも一方が施工されたフロアユニットを建設中の建物内の一階レベルまたはアクセスルートのある地階および二階レベルで製作し、この建物内の一部に設けた、後で施工する後施工部内に、複数の前記フロアユニットを上下方向に配置して、これらフロアユニットを一括揚重し、所定位置に設置することを特徴とするフロアの施工方法。
【請求項２】
フロアユニットの上部に切り離し可能な架台を設置し、この架台にフロアユニットが設置される当該階で使用するための資材を載置し、この資材をフロアユニットと共に揚重することを特徴とする請求項１に記載のフロアの施工方法。
【請求項３】
揚重したフロアユニットを水平方向にずらしてフロアユニットの縁を建物の梁に接続し、フロアユニットの周囲にデッキを敷設して、フロアユニットと建物の梁との間の隙間を塞ぐことによりフロアを施工することを特徴とする請求項１または２に記載のフロアの施工方法。
【発明の詳細な説明】
【技術分野】
【０００１】
本発明は、建設中の建物内で組み立てたフロアを一括揚重して施工するフロアの施工方法に関し、特に、中小建物工事に適したフロアの施工方法に関するものである。
【背景技術】
【０００２】
従来、建築と設備を一体化する工法が知られている（例えば、特許文献１参照）。こううした一体化工法の中で、フロアを地組し、地上レベルの地組ヤード内で設備機器を吊り込むいわゆるフロア一括揚重によるフロアの施工方法が知られている。このフロア一括揚重によるフロアの施工方法は、生産性が高く、大幅なコストダウンを期待できる工法であるが、適用できるのは、地組ヤードを確保できるほどの広い敷地を持つ建設案件に限られる。このため、最近の建設プロジェクトでは、仮設したタワー内にフロアを上下方向に並べ、フロア１枚分の敷地でフロア一括揚重ができるようにしたものがある。
【先行技術文献】
【特許文献】
【０００３】
【特許文献１】特許第２６２７７０５号公報
【発明の概要】
【発明が解決しようとする課題】
【０００４】
ところで、狭隘敷地の案件や中小建物の案件では、上記のタワーのような大掛かりな仮設を設置することは難しい。このため、こうした狭隘敷地や中小建物であってもフロア一括揚重の効果を期待できる施工方法の開発が望まれていた。
【０００５】
本発明は、上記に鑑みてなされたものであって、狭隘敷地や中小建物であってもフロア一括揚重の効果を期待できるフロアの施工方法を提供することを目的とする。
【課題を解決するための手段】
【０００６】
上記した課題を解決し、目的を達成するために、本発明の請求項１にフロアの施工方法は、耐火被覆と設備機器取り付けの少なくとも一方が施工されたフロアユニットを建設中の建物内の一階レベルまたはアクセスルートのある地階および二階レベルで製作し、この建物内の一部に設けた、後で施工する後施工部内に、複数の前記フロアユニットを上下方向に配置して、これらフロアユニットを一括揚重し、所定位置に設置することを特徴とする。
【０００７】
また、本発明の請求項２に係るフロアの施工方法は、上述した請求項１において、フロアユニットの上部に切り離し可能な架台を設置し、この架台にフロアユニットが設置される当該階で使用するための資材を載置し、この資材をフロアユニットと共に揚重することを特徴とする。
【０００８】
また、本発明の請求項３に係るフロアの施工方法は、上述した請求項１または２において、揚重したフロアユニットを水平方向にずらしてフロアユニットの縁を建物の梁に接続し、フロアユニットの周囲にデッキを敷設して、フロアユニットと建物の梁との間の隙間を塞ぐことによりフロアを施工することを特徴とする。
【発明の効果】
【０００９】
本発明によれば、耐火被覆と設備機器取り付けの少なくとも一方が施工されたフロアユニットを建設中の建物内の一階レベルまたはアクセスルートのある地階および二階レベルで製作し、この建物内の一部に設けた、後で施工する後施工部内に、複数の前記フロアユニットを上下方向に配置して、これらフロアユニットを一括揚重し、所定位置に設置するので、建物の外部に揚重設備のためのスペースを要しない。このため、狭隘敷地や中小建物においてフロア一括揚重の効果を期待してフロアの施工をすることができる。
【図面の簡単な説明】
【００１０】
【図１】図１は、本発明に係るフロアの施工方法の実施例を示す概略施工手順図である。
【図２】図２は、本発明に係るフロアの施工方法の実施例を示す建物の正面断面図である。
【図３】図３は、本発明に係るフロアの施工方法の実施例を示す建物の平面断面図である。
【図４】図４は、揚重したフロアユニットの設置方法の一例を示す上面図である。
【図５】図５は、切り離し可能な架台の作用の一例を示す側面図である。
【図６】図６は、建物各階へのフロアユニットの揚重方法を示す図である。
【発明を実施するための形態】
【００１１】
以下に、本発明に係るフロアの施工方法の実施例を図面に基づいて詳細に説明する。なお、この実施例によりこの発明が限定されるものではない。
【００１２】
図１に示すように、本発明に係るフロアの施工方法は、建設中の建物内の一部に後で施工する後施工部を設けておき、この後施工部内に複数のフロアユニットを上下方向に配置して（ステップＳ１）、これらフロアユニットを一括揚重し（ステップＳ２）、所定位置に設置するものである（ステップＳ３）。
【００１３】
具体的には、図２および図３に示すように、柱８と大梁１０からなる複数階の建物２内の一部に、後で施工する後施工部６を設け、ここにフロアユニット１６を一括揚重するためのスペースを確保する。後施工部６は、フロアユニット１６を設置する場所の直下の１階に設置する。組み立ては、別の場所で一括して行い、当該場所まで移動しても良い。
【００１４】
フロアユニット１６は、床板１８に天井用の設備機器２０と資材２２とを取り付けて構成したものである。フロアユニット１６は、外部から一階部分４に搬入した床板１８を後施工部６に配置して、一階レベルで組み立てる。ここで、フロアユニット１６は、後施工部６内のできるだけ施工効率の良い高さ（例えば、１．９〜２．１ｍ程度）に、上下方向に複数段（図２では２段）組み立てる。なお、フロアユニット１６は、アクセスルートのある地階および二階レベルで組み立てても良い。
【００１５】
次に、フロアユニット１６に乾式耐火被覆を施し、設備機器２０を吊り込む。続いて、フロアユニット１６が設置される当該階で使用するための資材２２を、フロアユニット１６の上部に載置する。この資材２２は、フロアユニット１６と一緒に揚重され、当該階の工事資材として使用されることになる。
【００１６】
屋上部のウインチ１２からのワイヤ１４を、２段（複数）のフロアユニット１６に接続し、２段のフロアユニット１６をウインチ１２で一括揚重する。設置階まで吊り上げたフロアユニット１６を、梁１０で囲まれた空間などの所定の位置に設置することにより当該階のフロアを施工する。ウインチ１２は、吊り込む場所の直上に水平に移動することで（図２中の矢印Ｘ）、その台数を減らすことができる。例えば、図６に示すように、建物２の区画Ａ〜Ｃの各１階に、複数段のフロアユニットからなるユニット部材１６Ａ〜１６Ｃを設置する。ユニット部材１６Ａ〜１６Ｃは、それぞれ上のフロアユニットから順番にウインチ１２によりリフトアップされ各階に設置されるが、リフトアップ完了毎に、ウインチ１２のみを水平移動するようにすれば、その台数を減らせる。
【００１７】
このように、本発明のフロアの施工方法によれば、建設中の建物２内の一部に後で施工する後施工部６を設け、この後施工部６内に複数のフロアユニット１６を上下方向に配置してこれらフロアユニット１６を一括揚重し、所定位置に設置するので、建物２の外部に揚重設備のためのスペースを要しない。このため、狭隘敷地や中小建物においてフロア一括揚重の効果を期待してフロアの施工をすることができる。
【００１８】
次に、揚重したフロアユニット１６によるフロアの施工について図４を参照しながら説明する。
【００１９】
図４（１）はフロアユニット１６を設置階に揚重した直後を示す上面図である。図４（１）に示すように、フロアユニット１６の床板１８には、複数の鉄骨小梁２４が設けてある。一方、建物２の大梁１０には複数のブラケット２６が突設してある。フロアユニット１６は、ブラケット２６に当たらないように大梁１０で囲まれた空間内を揚重される。
【００２０】
次いで、図４（２）に示すように、このフロアユニット１６を水平方向（図では上方）にずらして、フロアユニット１６の片方の側縁を大梁１０に載せるとともに、鉄骨小梁２４をブラケット２６に載せる。フロアユニット１６と大梁１０とをボルト等で接合するとともに、鉄骨小梁２４とブラケット２６とをボルト接合する。
【００２１】
続いて、図４（３）に示すように、フロアユニット１６の周囲にデッキ２８を敷設して、フロアユニット１６と建物２の大梁１０との間の床開口部（隙間）を塞ぐ。この床開口部は、上層階から下層階に向けて順番に塞ぐようにする。このようにして、建物２内のフロアを施工することができる。
【００２２】
上記の実施の形態において、資材２２は、図５（１）に示すように、フロアユニット１６の床板１８の上部に設けた架台３０上に載置してもよい。このようにすれば、床板１８上面にコンクリートを打設する前に資材２２を揚重することができる。
【００２３】
具体的には、架台３０を脚部の切り離し部３２で切り離し可能に構成する。そして、図５（２）に示すように、床板１８上面にコンクリート３４を打設する。この場合、切り離し部３２の周囲を除いてコンクリートを打設する。次いで、図５（３）に示すように、架台３０を切り離し部３２で切り離して移設後、残りの凹部にコンクリート３６を充填するようにする。このようにすれば、床板１８上面にコンクリートを打設する前に資材２２を揚重することができ、揚重負荷を軽減することができる。
【００２４】
次に、本発明により得られる効果について説明する。
（１）狭隘敷地や中小建物の建設案件でもフロア一括揚重が可能となり、生産性の向上が図れ、コストダウンを実現することができる。
【００２５】
（２）フロア一括揚重による一般的な効果としては、設備機器の生産性向上により大幅なコスト削減が望める。
【００２６】
（３）揚重するフロアユニットに他の資材も載置することで、揚重効率が向上する。
【００２７】
（４）天井内の設備機器を先行してフロアユニットに取り付けるため、在来工法のように施工階の床面に設備資材が氾濫せず、後工程の内装、天井、照明器具などに関する工事の生産性が向上する。
【００２８】
（５）設備機器をフロアに取り付ける設備工程が在来工法より先行するため、工程の平準化が図られ、結果として生産性が向上する。
【００２９】
以上説明したように、本発明によれば、耐火被覆と設備機器取り付けの少なくとも一方が施工されたフロアユニットを建設中の建物内の一階レベルまたはアクセスルートのある地階および二階レベルで製作し、この建物内の一部に設けた、後で施工する後施工部内に、複数の前記フロアユニットを上下方向に配置して、これらフロアユニットを一括揚重し、所定位置に設置するので、建物の外部に揚重設備のためのスペースを要しない。このため、狭隘敷地や中小建物においてフロア一括揚重の効果を期待してフロアの施工をすることができる。
【産業上の利用可能性】
【００３０】
以上のように、本発明に係るフロアの施工方法は、地組したフロアを一括揚重して施工するフロアの施工方法に有用であり、特に、狭隘敷地や中小建物の建設案件におけるフロアの施工方法に適している。
【符号の説明】
【００３１】
２  建物
４  一階部分
６  後施工部
８  柱
１０  大梁
１２  ウインチ
１４  ワイヤ
１６  フロアユニット
１８  床板
２０  設備機器
２２  資材
２４  鉄骨小梁
２６  ブラケット
２８  デッキ
３０  架台
３２  切り離し部
３４，３６  コンクリート
【図１】
2012046921.tif 000003
【図２】
2012046921.tif 000004
【図３】
2012046921.tif 000005
【図４】
2012046921.tif 000006
【図５】
2012046921.tif 000007
【図６】
2012046921.tif 000008